(57)【要約】【課題】ホットプレート上の手前のビーカーを動かさなくても奥側のビーカーを持ち上げて移動させることができるビーカー用挾みを提供する。【解決手段】一対の横柄１，１と、横柄１，１を開閉自在に保つバネ部２と、横柄１，１の先端から直角に延ばされた一対の縦柄３，３と、一対の縦柄３，３の端部に取付けられた一対の把持部４，４とからなる。把持部４が、平面視において湾曲しており、各把持部４の対面側が凹面に形成され、その凹面側の横方向両端部に弾性を有するホールド部材６が取付けられている。横柄１の先端から下方に延びる縦柄３が付いており、縦柄３の下端に取付けられた把持部４でビーカーの外周面を把持できる。横柄１は手前のビーカーの上方に位置させることができるので、手前のビーカーを取り除くことなく、奥側のビーカーを移動させることができる。【選択図】図１
2019205986.tif 000002
【特許請求の範囲】
【請求項１】
一対の横柄と、
該一対の横柄を開閉自在に保つ接続部と、
前記一対の横柄の先端から前記横柄に対し直角に延ばされた一対の縦柄と、
該一対の縦柄の端部に取付けられた一対の把持部とからなる
ことを特徴とするビーカー用挾み。
【請求項２】
前記横柄の全長が、３００〜５００ｍｍである
ことを特徴とする請求項１記載のビーカー用挾み。
【請求項３】
前記縦柄の上下長さが、５０〜８０ｍｍである
ことを特徴とする請求項１記載のビーカー用挾み。
【請求項４】
前記把持部が、平面視において湾曲しており、各把持部の対面側が凹面に形成されている
ことを特徴とする請求項１，２または３記載のビーカー用挾み。
【請求項５】
前記把持部は、その凹面側の幅方向両端部に弾性を有するホールド部材が取付けられている
ことを特徴とする請求項１，２，３または４記載のビーカー用挾み。
【発明の詳細な説明】
【技術分野】
【０００１】
本発明は、ビーカー用挾みに関する。さらに詳しくは、成分分析等を行う現場その他種々の現場で、ビーカーを垂直に持ち上げて移動させることができるビーカー用挾みに関する。
【背景技術】
【０００２】
化学分析を行う際は試料を酸等で分解処理することが必要であり、この作業を効率よく行うために加熱分解を実施する。この際、化学反応により発生するガスを中和処理設備に送るため、前面のみにスライド窓を有し箱状に囲われた作業台であるドラフトチャンバー等の局所排気装置内に設置したホットプレートやサンドバス等の上に、化学薬品が混入したビーカーを乗せ、加熱と化学反応により試料を溶解させる作業が行われる。
【０００３】
このような化学分析中のビーカーの移動には、特許文献１に示すようなビーカー用挾みが用いられていた。
このビーカー用挾みは、一対の木製の柄を備え、この柄の先端は円弧状に形成された把持部となっており、柄の基端部は金属製の板バネで接続されている。
通常は板バネの弾性で一対の柄は開き加減であるが、手で握ると閉じることができ、その閉じ動作によってビーカーを把持部で挾むことができる。
また、従来からある市販品は、上記特許文献１に開示の基本構造を踏襲しながら、湾曲した把持部の内周面はたとえば曲率半径５０ｍｍ程度とされている。このように先端部を湾曲させたのは、ビーカーを挾んだときにビーカーが安定するように意図したものである。
【０００４】
ところで、上記従来のビーカー用挟みを使用してホットプレート等の上に複数のビーカーを乗せる際は奥から順番に配置し、取り出す際は手前からに限定される。
そして、ビーカーの加熱による化学反応や溶液の蒸発はホットプレート等に先に置いたビーカーから進むので奥側から進行する。この場合、溶液が完全に蒸発する寸前に加熱を停止しなければならない作業では、事前にホットプレート等の手前に配置したビーカーをホットプレート等の上から降ろすか、ホットプレート等の手前に配置したビーカーを横にずらしてから奥の目的のビーカーを取り出すしかない。
【０００５】
つまり、従来のビーカー用挾みを使う場合、横方向（ほぼ水平方向）からビーカー用挾みをホットプレート上に進入させて、ビーカーを把持するしかないので、奥に設置したビーカーを取るためには、手前のビーカーを先に移動させるしかなかった。
【０００６】
しかしながら、例えば、上記のような溶液が完全に蒸発する寸前に加熱を停止しなければならない作業、すなわち、取り出しのタイミングが重要な作業では、手前のビーカーを移動させている間に奥側のビーカーの溶液が完全に蒸発してしまうことが無いように、早目に、頻繁に手前のビーカーを移動させる必要がある。そうすると、手前のビーカーは、移動の都度加熱が中断されるため、加熱分解に時間が掛かると共に、ビーカー毎に加熱時間のムラが発生してしまっていた。そのことを回避するために、ホットプレート等に乗せるビーカーの数を減らして対応することは可能だが、そうすると生産性が著しく低下する。
【先行技術文献】
【特許文献】
【０００７】
【特許文献１】実開昭５２−１０８９９０号公報
【発明の概要】
【発明が解決しようとする課題】
【０００８】
本発明は上記事情に鑑み、ホットプレート等の上の手前のビーカーを動かさなくても奥側のビーカーを持ち上げて移動させることができるビーカー用挾みを提供することを目的とする。
【課題を解決するための手段】
【０００９】
第１発明のビーカー用挾みは、一対の横柄と、該一対の横柄を開閉自在に保つ接続部と、前記一対の横柄の先端から前記横柄に対し直角に延ばされた一対の縦柄と、該一対の縦柄の端部に取付けられた一対の把持部とからなることを特徴とする。
第２発明のビーカー用挾みは、第１発明において、前記横柄の全長が、３００〜５００ｍｍであることを特徴とする。
第３発明のビーカー用挾みは、第１発明において、前記縦柄の上下長さが、５０〜８０ｍｍであることを特徴とする。
第４発明のビーカー用挾みは、第１，第２または第３発明において、前記把持部が、平面視において湾曲しており、各把持部の対面側が凹面に形成されていることを特徴とする。
第５発明のビーカー用挾みは、第１，第２，第３または第４発明において、前記把持部は、その凹面側の幅方向両端部に弾性を有するホールド部材が取付けられていることを特徴とする。
【発明の効果】
【００１０】
第１発明によれば、横柄の先端から直角に延びる縦柄が付いており、この縦柄の端部に把持部があることにより、ビーカー用挾みをビーカーに対し上方から近づけて把持することができる。この場合、横柄はホットプレート上の手前のビーカーの上方に位置させることができるので、手前のビーカーを取り除くことなく、奥側のビーカーを把持して持ち上げ移動させることができる。
第２発明によれば、横柄がホットプレートの奥行きに対して充分な長さをもっているので、手前のビーカーに邪魔されずに奥側のビーカーを移動させる作業が容易に行える。
第３発明によれば、縦柄が、各種ビーカーが並んでいる状態で目的のビーカーを挾むに適した上下長さを有しているので、ビーカーを上方から把持する作業が容易に行える。
第４発明によれば、把持部は、その内側が凹面となるように湾曲しているので、外側に凸面となるビーカーの外周面をしっかりと把持することができる。
第５発明によれば、ホールド部材がビーカーの外面に４ヶ所で接触して弾性的に撓むので、把持部がビーカーに密着してしっかりとビーカーを把持でき、安定したビーカーの移動ができる。
【図面の簡単な説明】
【００１１】
【図１】本発明の一実施形態に係るビーカー用挾みＡの平面図である。
【図２】図１に示すビーカー用挾みＡの正面図である。
【図３】図１に示すビーカー用挾みＡの側面図である。
【図４】ビーカーＢを挾んだ状態のビーカー用挾みＡの平面図である。
【図５】ビーカー用挾みＡの使用状態説明図である。
【発明を実施するための形態】
【００１２】
つぎに、本発明の実施形態を図面に基づき説明する。
図１〜図３に基づき、本発明の一実施形態に係るビーカー用挾みＡの構造を説明する。なお、これらの図において、上下方向を示す用語は横柄１を水平にした通常の使用状態で上下を向く方向を意図したものとして使用する。また、手前や奥などの奥行き方向の用語の意味は横柄１を水平にして手で握った状態で、ホットプレート上で手前に引いたり前へ進める方向を意図したものとして使用する。
【００１３】
本実施形態のビーカー用挾みＡは、一対の横柄１，１と、一対の横柄１，１を開閉自在に保つ接続部と、各横柄１，１の先端から直角に延ばされた一対の縦柄３，３と、この一対の縦柄３，３の端部に取付けられた一対の把持部４，４とから構成されている。
【００１４】
横柄１，１の基部はバネ部２に結合されている。横柄１，１の基部はバネ部２で閉じられているが、先端側は自然な状態で開くように構成されている。バネ部２は、一対の横柄１，１を開き加減に保持すると共に手で一対の横柄１，１を握ると閉じることを可能とする機能があればよい。このバネ部２が、特許請求の範囲にいう接続部に該当する。
【００１５】
図示のバネ部２は、横柄１，１に連続する金属棒をＣ型に成形したＣ型リングであるが、Ｃ型リングの代わりに板バネやコイルバネを用いたものであってもよい。
なお、接続部は上記バネ部２を含む上位概念であって、上記のような一対の横柄１，１を開閉自在に保つ機能があればよい。
【００１６】
横柄１は、金属製の棒材で作成されている。棒材の金属としては、炭素鋼、アルミ合金や真鍮などが使えるが、ステレンス鋼が最も好ましい。その理由は、耐酸性が高く、曲げ加工によりバネ部を成形した際に適度な弾性を有するからである。なお、バネ部に板バネやコイルバネを用いた場合であって、必要な強度および剛性が担保できれば、中実の棒材に限らず、中空のパイプ状の部材も使用することができる。
【００１７】
横柄１，１が上記のような金属製であるとバネ部２に加え、横柄１，１自体にも弾力性をもたせることができるので、横柄１，１の中間部を人の手で握って開閉することができる。この場合、一対の横柄１，１のうち手で握った部分が外力が加わる力点となり、バネ部２が支点となる。
【００１８】
横柄１の全長は、３００〜６００ｍｍが好ましく、４００〜５００ｍｍがより好ましい。
横柄１の全長が４００〜５００ｍｍの範囲であると、現用サイズのホットプレートの多くに本発明のビーカー用挾みＡを適用でき、ホットプレートの奥側のビーカーを移動させることができる。
横柄１の全長が、３００〜６００ｍｍの範囲であると、現用サイズのホットプレートのうち小型のホットプレートにも大型のホットプレートにも本発明のビーカー用挾みＡを使用できる。
【００１９】
なお、本発明では上記寸法以外のものを排除する趣旨ではなく、上記寸法以外の横柄を用いても、本発明のビーカー用挾みＡに含まれる。
ただし、横柄１の全長が６００ｍｍを超えると、横柄を構成する金属そのものの撓みが大きくなるときがあるので、そのときは剛性の高い材質を選定する等の工夫が必要である。
【００２０】
縦柄３は横柄１に対し直角に延びている。横柄１が水平な状態にあるときは縦柄３は垂直下方に向いて延びるように設けられている。縦柄３の上下長さは、５０〜８０ｍｍが好ましく、６０〜７０ｍｍがより好ましい。
縦柄３の長さが６０〜７０ｍｍの範囲であると、現用サイズのビーカーのうち使用割合の多いビーカーに対応でき、上方からの把持が容易に行える。
縦柄３の長さが５０〜８０ｍｍの範囲であると、現用サイズのビーカーのほとんど全てを上方から把持することができる。
【００２１】
ただし、縦柄３の長さが８０ｍｍを超えると、把持部４，４を閉じたときに縦柄３を構成する金属そのものの撓みが大きくなり下方に向かって斜めに開くときがある。そのときは剛性の高い材質を選定する等の工夫が必要である。
【００２２】
一対の縦柄３，３の下端部には、それぞれ把持部４が取り付けられている。この把持部４は側面視で四角形の板部材であるが、この把持部４は平面視においては湾曲しており、把持部４，４同士の対面側が凹面に形成されている。この凹面はビーカーの外側に凸面となる外周面に干渉することなく沿わせるためである。
【００２３】
把持部４の幅寸法４ｗが４５ｍｍであって、深さ寸法４ｄが８ｍｍであると、最も多いサイズのビーカーＢに対し、最適サイズとなり、ビーカーＢを安定的に持ち上げることができる。
把持部４の幅方向寸法４ｗが、４０〜５０ｍｍの範囲であると、把持部４の両端部から中央の最奥部までの深さ寸法４ｄは、５〜１０ｍｍとなる。この幅寸法および深さ寸法４ｄであると、現用サイズのビーカーＢのほとんど全てに、その外周面と干渉することがなく、充分な把持力をもたせることができる。
【００２４】
把持部４の凹面側に形成された把持部本体５の横方向両端部には弾性を有するホールド部材６が取付けられている。ホールド部材６としては、摩擦性と弾力性を有するのが好ましく、たとえば、ゴム材料が好適に使用される。
また、用途に応じて耐熱性や耐酸性をもたせることが好ましく、耐熱性をもつシリコンボンドや、耐酸性を有するＯリングなどが好適に用いられる。シリコンボンドであれば、市販のチューブ式で最適な材質のものを選択し、把持部本体５の横方向両端部において縦方向の線状に塗布すれば良い。Ｏリングであれば、Ｏリングの内周長が把持部本体５の外周長以下で最適な材質のものを選択し、外挿すれば良い。
【００２５】
本実施形態のビーカー用挾みＡは、図４に示すように、一対の横柄１，１を閉じるように手で握ると、ビーカーＢの外周面を把持することができる。
そして、把持部４は、その内側が凹面となるように湾曲していることに加え、弾力性と摩擦性を有するホールド部材６を備えているので、曲率半径が異なっていたり重さも種々異なるビーカーに対してもしっかりと把持することができる。そして、ホールド部材６がビーカーＢの外面に接触して弾性的に撓むので、安定した状態でビーカーＢを把持できる。
【００２６】
本発明のビーカー用挾みＡの材料としては、既述した金属に限らず、木やプラスチックなども利用できる。これら材料は、使用現場で要求される耐酸性や耐熱性の面から好適なものを選択すればよい。
【００２７】
図５に基づき、本実施形態のビーカー用挾みＡの使用方法を説明する。
図５において、符号Ｐはホットプレートを示しており、図中左側は奥、図中右側は手前である。このビーカー用挾みＡでは、横柄１が長く縦柄３は短いので、ビーカー用挾みＡをホットプレートＰの手前から奥側に差し込んで、ホットプレートＰ上のビーカーＢ１、Ｂ２、Ｂ３の上方空間に挿入できる。
【００２８】
そして、縦柄３は横柄１の先端から下方に延びているので、縦柄３の下端に取付けられた把持部４で、奥側のビーカーＢ１のみを把持することができる。このため、手前のビーカーＢ２、Ｂ３を取り除くことなく、奥側のビーカーＢ１のみを把持して持ち上げ、手前のビーカーＢ２、Ｂ３上の空間を移動させ手前に引き取ることができる。
【００２９】
以上のように、本実施形態のビーカー用挾みＡを使うと、手前のビーカーＢ３等を移動することなく奥側のビーカーＢ１等を移動できるので、作業効率が向上する。
また、ホットプレートＰ上に最大個数のビーカーを載せて加熱処理等を行うことができる。
【００３０】
（他の実施形態）
図示の実施形態は、一対の柄１，１の基部（バネ部２）が支点となる和挾みの形態をしているが、この代りに一対の柄１，１の中間位置にピンで止じる接続部を設け、各横柄１，１の基部に握り部を設け先端に把持部４，４を設ける洋挾みの形態であってもよい。この洋挾み型のビーカー用挾みであれば、接続部を構成するピンが一対の横柄１，１に開閉機能を付与することになる。そして、このような洋挾み型のビーカー用挾みにおいて、縦柄３と把持部４との組合せを図示の実施形態と同様に適用することができる。
【産業上の利用可能性】
【００３１】
本発明のビーカー用挾みは、代表的には化学分析等を行う現場で使用されるが、これに限られない。たとえば、茶碗蒸し等を扱う飲食業、食品製造業などの現場を含み、あらゆる現場で利用できる。
【符号の説明】
【００３２】
１  横柄
２  バネ部
３  縦柄
４  把持部
６  ホールド部材
Ａ  ビーカー用挾み
【図１】
2019205986.tif 000003
【図２】
2019205986.tif 000004
【図３】
2019205986.tif 000005
【図４】
2019205986.tif 000006
【図５】
2019205986.tif 000007